(57)【要約】【課題】吊り具の着脱作業が容易であり、かつ安定に容器を支えることができる吊り具を提供する。【手段】容器底部に両側から縦向きに掛け渡される縦ベルトと、両側の上記縦ベルトを互いに連結する係脱自在な連結部を有し、該連結部によって縦長ベルト相互の側方への移動を制限して容器底部を支えることを特徴とし、好ましくは、容器外周に横向きに巻き付けられる横ベルトと、容器底部の両側に縦向きに掛け渡される少なくとの一対の縦ベルトと、両側の上記縦ベルトを互いに連結する連結部とを有し、上記縦ベルトと上記横ベルトが一体に結合されており、上記連結部が横ベルトの下方に設けられている吊り具。【選択図】  図２
2004277032.tif 000002
【特許請求の範囲】
【請求項１】
容器底部に両側から縦向きに掛け渡される縦ベルトと、両側の上記縦ベルトを互いに連結する係脱自在な連結部を有し、該連結部によって縦長ベルト相互の側方への移動を制限して容器底部を支えることを特徴とする吊り具。
【請求項２】
容器外周に横向きに巻き付けられる横ベルトと、容器底部の両側に縦向きに掛け渡される少なくとの一対の縦ベルトと、両側の上記縦ベルトを互いに連結する連結部とを有し、上記縦ベルトと上記横ベルトが一体に結合されており、上記連結部が横ベルトの下方に設けられている請求項１の吊り具。
【請求項３】
縦ベルトの容器両側に位置する部分に連結部がおのおの設けられており、少なくとも一方の連結部が係脱自在である請求項１または２の吊り具。
【請求項４】
縦ベルトの両端が横ベルトに結合されており、該横ベルトに吊りベルトが連結している請求項１、２または３の吊り具。
【請求項５】
湾曲した底部を有する容器に対して、容器底部の両側から掛け渡された縦ベルトが連結部によって容器底部の湾曲の頂点位置よりも下方に固定される請求項１〜４の何れかに記載する吊り具。
【請求項６】
連結部の長さＬが、横ベルトによる円形の直径Ｒに対して、０．２Ｒ≦Ｌ≦０．９４Ｒの長さである請求項２〜５の何れかに記載する吊り具。
【請求項７】
縦ベルトの両端が横ベルトに結合しており、この結合部分から縦ベルトどうしの連結部までの長さｄが、横ベルトによる円形の直径Ｒに対して、１／３Ｒ以下である請求項２〜６の何れかに記載する吊り具。
【請求項８】
縦ベルトの両側に連結部が設けられており、この連結部相互の長さＷが、縦ベルト両端と横ベルトとの結合部分を起点として横ベルトの短い側の半円周に沿って一方の結合部分から他方の結合部分までの距離ａに対して、Ｗ≦ａである請求項２〜７の何れかに記載する吊り具。
【発明の詳細な説明】
【０００１】
【発明の属する技術分野】
本発明は、湾曲した底部を有する容器、例えば石英ガラスルツボ等の容器を安定に吊り上げることができ、しかも容器に対する装着および取り外しが容易な吊り具に関する。
【０００２】
【従来の技術】
石英ガラスルツボを搬送する場合、衝撃を与えないように吊り具やパレットなどが使用されている。例えば、図６に示すように、紐やベルトを井桁状に組み合わせた吊り具３０や、たすき掛けに組み合わせた吊り具３２が知られている。この形状の吊り具は、中央の升目部分３１あるいは交差部分３３によってルツボ２０の底部を支えるものであるため、吊り具をルツボに装着する際に、これらの部分をあらかじめルツボ底部の下側に差し込む必要があるが、ルツボ底部の下側にこれらの部分を差し込むのが難しいために、吊り具を装着するのに手間がかかるという問題がある。
【０００３】
一方、フレームの平面に升目状の開口を設け、この升目部分にルツボを載せるパレットが知られている（特開平１１−２６３６９６号公報）。このパレットは石英ルツボの開口部が下向きの場合にも、上向きの場合にもルツボを安定に載置することができるが、このパレットにルツボを載せるにはルツボを持ち上げなければならず、取扱い作業上の問題を残している。
【０００４】
【発明が解決しようとする課題】
本発明は、従来の吊り具やパレットにおける上記問題を解消したものであり、ルツボ等の容器に対して、装着および取り外しが容易であり、しかも安定に容器を保持することができる吊り具を提供するものである。
【０００５】
【課題を解決する手段】
本発明によれば以下の構成からなる吊り具が提供される。
（１）容器底部に両側から縦向きに掛け渡される縦ベルトと、両側の上記縦ベルトを互いに連結する係脱自在な連結部を有し、該連結部によって縦長ベルト相互の側方への移動を制限して容器底部を支えることを特徴とする吊り具。
（２）容器外周に横向きに巻き付けられる横ベルトと、容器底部の両側に縦向きに掛け渡される少なくとの一対の縦ベルトと、両側の上記縦ベルトを互いに連結する連結部とを有し、上記縦ベルトと上記横ベルトが一体に結合されており、上記連結部が横ベルトの下方に設けられている上記（１）の吊り具。
（３）縦ベルトの容器両側に位置する部分に連結部がおのおの設けられており、少なくとも一方の連結部が係脱自在である上記（１）または（２）の吊り具。
（４）縦ベルトの両端が横ベルトに結合されており、該横ベルトに吊りベルトが連結している上記（１）、（２）または（３）の吊り具。
（５）湾曲した底部を有する容器に対して、容器底部の両側から掛け渡された縦ベルトが連結部によって容器底部の湾曲の頂点位置よりも下方に固定される上記（１）〜（４）の何れかに記載する吊り具。
（６）連結部の長さＬが、横ベルトによる円形の直径Ｒに対して、０．２Ｒ≦Ｌ≦０．９４Ｒの長さである請求項２〜５の何れかに記載する吊り具。
（７）縦ベルトの両端が横ベルトに結合しており、この結合部分から縦ベルトどうしの連結部までの長さｄが、横ベルトによる円形の直径Ｒに対して、１／３Ｒ以下である上記（２）〜（６）の何れかに記載する吊り具。
（８）縦ベルトの両側に連結部が設けられており、この連結部相互の長さＷが、縦ベルト両端と横ベルトとの結合部分を起点として横ベルトの短い側の半円周に沿って一方の結合部分から他方の結合部分までの距離ａに対して、Ｗ≦ａである上記（２）〜（７）の何れかに記載する吊り具。
【０００６】
【発明の実施の形態】
以下、本発明を実施形態に基づいて具体的に説明する。
本発明の吊り具の一例を図１〜２に示す。図１に示す吊り具１０は、容器２０の底部２１に両側から縦向きに掛け渡される縦ベルト１１と、両側の上記縦ベルト１１を互いに連結する係脱自在な連結部１２を有しており、この連結部１２によって上記縦長ベルト１１を相互に拘束し、該縦ベルト１１の側方への移動を制限して容器底部２１を支えることを特徴とする吊り具である。縦ベルト１１の連結部１２より上側は上方に延びて相互に連結した吊りベルト１３を兼用しても良く、または各々の端部にフック等を設けても良い。上記連結部１２はカプラー型の連結器具などを用いると良い。
【０００７】
図１の吊り具１０を容器に取り付けるには、あらかじめ連結部１２を外して縦ベルト１１が両側に拡がるようにし、容器２０の開口部を上向きに設置した状態で、縦ベルト１１をおのおの容器の両側から底部に差し込み、容器外周に縦向きに掛け渡す。この場合、容器が湾曲した底部を有するときは、底部の湾曲に沿って差し込めばよく、容器を持ち上げて底部の下側に差し込む必要はない。次に、連結部１２を係合して両側の縦ベルト１１を互いに連結し、該縦ベルト１１が側方に拡がらないようにして容器底部から外れないようにする。この状態で吊りベルト１３を引き上げると縦ベルト１１によって容器底部２１を安定に支えることができる。
【０００８】
図２に示す吊り具１０は、容器２０の外周に横向きに巻き付けられる横ベルト１４と、容器底部２１の両側に縦向きに掛け渡される少なくとも一対の縦ベルト１１と、両側の上記縦ベルト１１を互いに連結する連結部１２とを有し、上記縦ベルト１１と上記横ベルト１４が一体に結合されており、上記連結部１２が該横ベルト１４の下方に設けられており、該横ベルト１４に吊りベルト１３を取り付けた吊り具である。なお、縦ベルト１１の上端を延ばして吊りベルト１３と兼用させても良い。
【０００９】
図２の吊り具１０を容器に取り付ける場合も、図１の吊り具と同様に、あらかじめ連結部１２を外して縦ベルト１１が両側に拡がるようにし、容器２０の開口部を上向きに設置した状態で、吊り具１０を容器２０に被せて横ベルト１４を容器外周に巻き付ける。次に、縦ベルト１１をおのおの容器の両側から湾曲した底部に沿って差し込み、縦向きに掛け渡す。さらに、連結部１２を係合して両側の縦ベルト１１を互いに連結し、該縦ベルト１１が側方に拡がらないようにして容器底部から外れないようにする。この状態で吊りベルト１３を引き上げると縦ベルト１１によって容器底部２１が安定に支えられる。図２の吊り具も、図１の吊り具と同様に、容器が湾曲した底部を有するときは、底部の湾曲に沿って縦ベルト１１を差し込めばよく、容器を持ち上げて底部の下側に差し込む必要はない。
【００１０】
図示する本発明の吊り具において、連結部１２の長さＬ（二本の縦ベルト相互の距離）は、湾曲した底部を有する容器２０に対して容器底部２１の両側から掛け渡された縦ベルト１１が連結部１２によって連結されたときに、縦ベルト１１が容器底部２１の湾曲の頂点位置Ｐよりも下方に固定される長さである。具体的には、例えば、連結部の長さＬは、横ベルト１４による円形の直径Ｒに対して、０．２Ｒ≦Ｌ≦０．９４Ｒの長さに形成される。
【００１１】
また、図示するように、連結部１２は容器両側に位置する部分に一対設け、少なくとも一方の連結部１２を係脱自在に形成すると良い。この連結部相互の長さＷは、縦ベルト１１が容器から外れないように、例えば、縦ベルト両端と横ベルトとの結合部分を起点として横ベルトの短い側の半円周に沿って一方の結合部分から他方の結合部分までの距離ａに対して、Ｗ≦ａの長さが適当である。
また、二本の縦ベルトを連結する位置は、縦ベルト両端と横ベルトとの結合部分から縦ベルトどうしの連結部までの長さｄが、横ベルトによる円形の直径Ｒに対して、１／３Ｒ以下の長さが適当である。
【００１２】
図２に示す吊り具の模式面を図３〜図５に示す。図３は平面、図４および図５は側面ないし正面からみた模式図である。図３に示すように、吊り具１０は、一対の縦ベルト１１と一対の連結部１２によってルツボ底部を支える四角形の枠Ｔが形成されている。さらに横ベルト１４によってルツボ形状に合わせた円形状の枠Ｓが形成されており、これらの四角形枠Ｔと円形枠Ｓでルツボを支える２重構造を有している。また少なくとも一方の連結部１２は係脱自在なカブラ−式の連結具が用いられる。連結部１２の係合を外すことによって、縦ベルト１１が両側に広がり、ルツボを持ち上げることなく吊り具を脱着することができる。
【００１３】
吊り具の取り外しを容易にするため、四角形枠Ｔと円形枠Ｓとの交点間の円周長さ（ａ）は四角形枠Ｔの長手方向の長さ（ｂ）より短い（ａ≦ｂ）ものが良い。この円周長さａが枠Ｔの長さｂよりも長いと、連結部を外しても吊り具を取り外しできない場合がある。また吊り上げたときにルツボが落ちないようにするため、上記円周長さ（ａ）は一対の連結部相互間の長さ（Ｗ）より長い（ａ≧Ｗ）ものが良い。この円周長さａが連結部相互の長さＷより短いと、吊り上げたときにルツボが落ちる可能性がある。
【００１４】
さらに、連結部を容易に係脱できるよう、連結部と円形枠Ｓとの距離（ｄ）は、円形枠Ｓの直径Ｒの１／３以下（ｄ≦１／３Ｒ）が良い。距離ｄがこれより長いと、ルツボを置いたときに連結部がルツボの下になり、取り外しできない場合がある。また、ルツボを安定に支えるように、連結部の長さＬは円形枠Ｓの直径Ｒに対して、０．２Ｒ≦Ｌ≦０．９４Ｒの長さが適当である。０．２≧Ｌの場合、ルツボ底部を支える四角形枠Ｔの幅が狭すぎて、ルツボを吊り上げたときに不安定になりやすく、０．９４≦Ｌでは、連結部が円形枠Ｓの底部に近くなり作業性が悪くなる。
【００１５】
〔実施例１〕
幅３５ｍｍのポリエステル製の紐（ベルト）を用い、図２に示す構造を有し、ベルト中心部で測定した各部分の長さがそれぞれ、円形枠の直径Ｒ８２５ｍｍ、縦ベルトの長さ（図ｂ）１２４５ｍｍ、連結部の長さＬ３６０ｍｍ、連結部相互の距離Ｗ８８５ｍｍ、連結部の位置ｄ１８０ｍｍの寸法を有する吊り具を作製し、この吊り具を、外径８１０ｍｍ、高さ５００ｍｍ、重量５５ｋｇの石英ガラスルツボにセットし、リフターを使用して吊り上げ移動した。吊り上げ、移動の際に吊り具で固定されルツボは安定していた。また、ルツボに対する吊り具の装着作業および取り外し作業は何れも容易であった。
【００１６】
〔実施例２〕
幅３５ｍｍのポリエステル製の紐（ベルト）を用い、実施例１と同様な構造を有し、ベルト中心部で測定した各部分の長さがそれぞれ、円形枠の直径Ｒ７３５ｍｍ、縦ベルトの長さ（図ｂ）１２０５ｍｍ、連結部の長さＬ２１５ｍｍ、連結部相互の距離Ｗ８３５ｍｍ、連結部の位置ｄ１８５ｍｍの寸法を有する吊り具を作製し、この吊り具を、外径８１０ｍｍ、高さ５００ｍｍ、重量５５ｋｇの石英ガラスルツボにセットし、リフターを使用して吊り上げ移動した。吊り上げ、移動の際に吊り具で固定されルツボは安定していた。また、ルツボに対する吊り具の装着作業および取り外し作業は何れも容易であった。
【００１７】
【発明の効果】
本発明の吊り具は、シリコン単結晶引き上げ用の石英ガラスルツボ、特に大口径の石英ルツボなどを運搬する場合、安定に吊り上げることができ、しかも吊り具の着脱作業が極めて容易であり、ルツボを持ち上げることなく、設置した状態のまま吊り具を脱着することができる。
【図面の簡単な説明】
【図１】本発明に係る吊り具の一例を示す外観図。
【図２】本発明に係る吊り具の他の一例を示す外観図。
【図３】図２に示す吊り具の模式的な平面図。
【図４】図２に示す吊り具の模式的な側面図。
【図５】図２に示す吊り具の模式的な正面図。
【図６】従来の吊り具の概略図。
【符号の説明】１０−吊り具、１１−縦ベルト、１２−連結部、１３−吊りベルト、１４−横ベルト、２０−容器、２１−底部。
【図１】
2004277032.tif 000003
【図２】
2004277032.tif 000004
【図３】
2004277032.tif 000005
【図４】
2004277032.tif 000006
【図５】
2004277032.tif 000007
【図６】
2004277032.tif 000008